(57)【特許請求の範囲】
【請求項１】
アンテナアレイのアンテナ間で変調されたメッセージ信号を切換える切換え手段（ＳＷ）と、アンテナアレイのアンテナ（Ｅ１…ＥＮ）間で変調されたメッセージ信号の前記切換えを徐々に行うのために混合関数を実行するフィルタ手段と、前記切換え手段（ＳＷ）および前記フィルタ手段を制御する制御論理ユニットとを具備し、前記フィルタ手段が変調されたメッセージ信号を生成するために１００％より大きい変調指数を有する周期信号でメッセージ信号を変調することができる少なくとも１つの振幅変調器（ＭＯＤ-Ａ、ＭＯＤ-Ｂ）を含んでいる、アンテナアレイを有するドップラーＶＯＲシステムのための供給装置において、
前記振幅変調器（ＭＯＤ-Ａ、ＭＯＤ-Ｂ）は、
メッセージ信号（ＳＢ１、ＳＢ２）を受ける入力を有し、かつ中央の出力および２つの両側の出力を有し、前記入力を中央の出力および２つの両側の出力で電力が等しくなるように、予め定められた電力比率で分割する電力分割器（ＰＤ）と、
移相制御信号によって制御され、前記電力分割器（ＰＤ）の前記２つの両側の出力に電気的に接続された入力を有する少なくとも２つの移相器（ＰＳ１、ＰＳ２）と、
３つの入力０、−１、＋１を有し、入力−１および＋１は少なくとも２つの移相器の１つの出力にそれぞれ接続され、入力０は前記電力分割器（ＰＤ）の前記中央の出力に接続され、前記変調されたメッセージ信号に対応する出力（Ａ１、Ａ２、Ａ３、Ｂ１、Ｂ２、Ｂ３）を有するバトラーマトリックス（ＢＭ）とを含むことを特徴とする供給装置。
【請求項２】
前記制御論理ユニットは時間部分信号を生成し、前記切換え手段（ＳＷ）は前記時間部分信号に応答し、予め定められた電力比率にしたがって、少なくとも２つのアンテナに変調されたメッセージ信号を同時に切換えることを特徴とする請求項１記載の供給装置。
【請求項３】
異なったアンテナに対応する前記時間部分は部分的または全体的にオーバーラップする請求項２記載の供給装置。
【請求項４】
前記メッセージ信号の２つの側波帯（ＳＢ１、ＳＢ２）に対応している２つの入来信号を受ける手段をさらに含み、前記フィルタ手段が２つの入来信号を変調し、２つの変調されたメッセージ信号（Ａ、Ｂ）を出力する２つの変調器（ＭＯＤ-Ａ、ＭＯＤ-Ｂ）を含み、切換え手段が前記２つの変調されたメッセージ信号（Ａ、Ｂ）を受け、前記２つの変調されたメッセージ信号の時間部分を前記アンテナアレイの少なくとも２つの異なったアンテナにそれぞれ連続的に出力することを特徴とする請求項１記載の供給装置。
【請求項５】
前記切換え手段の第１の階層レベルは、論理的に隣接したアンテナ間で前記２つの変調されたメッセージ信号（Ａ１、Ａ２、Ａ３、Ｂ１、Ｂ２、Ｂ３）の切換えを実行するように設計されたスイッチ／ディバイダ（ＣＤ）を含み、前記スイッチ／ディバイダ（ＣＤ）は、
入力（Ｉ１）、２つの出力（Ｏ１、Ｏ２）、３つの動作位置（Ｋ１、Ｋ２、Ｋ３）、および前記２つの出力に電力を分割する２つの素子（Ｃ１、Ｃ２）を有し、前記第１の位置（Ｋ１）は前記入力（Ｉ１）を前記２つの出力の第１（Ｏ１）に直接接続することに対応し、第２の位置（Ｋ３）は前記入力（Ｉ１）を前記２つの出力の第２（Ｏ２）に直接接続することに対応し、第３の位置（Ｋ２）は前記入力（Ｉ１）を前記２つの出力（Ｏ１、Ｏ２）に同時に接続することに対応することを特徴とする請求項１記載の供給装置。
【請求項６】
前記スイッチ／ディバイダ（ＣＤ）はマイクロストリップ構成および制御されたＰＩＮダイオードを通して、適切な送信ラインで実現されることを特徴とする請求項５記載の供給装置。
【請求項７】
前記振幅変調器は、減衰制御信号（ＣＴＮＡ）によって制御され、前記電力分割器（ＰＤ）の前記中央の出力に応答し、前記バトラーマトリックス（ＢＭ）の前記入力０へ出力信号を供給する減衰器（ＶＡ）をさらに含むことを特徴とする請求項１記載の供給装置。
【請求項８】
前記バトラーマトリックス（ＢＭ）は、互いに１２０°位相のずれた３つの同一な変調されたメッセージ信号（Ａ１、Ａ２、Ａ３、Ｂ１、Ｂ２、Ｂ３）を出力することを特徴とする請求項１記載の供給装置。
【請求項９】
前記バトラーマトリックス（ＢＭ）は周波数変調指数によって除算されたアンテナの数に等しいバトラーマトリックス指数を有することを特徴とする請求項１記載の供給装置。
【発明の詳細な説明】
【０００１】
【産業上の利用分野】
本発明は、特にドップラーＶＯＲシステムのための供給方法および装置と、ドップラーＶＯＲシステムおよびそれに適した変調器に関する。
【０００２】
【従来の技術】
民間および軍用の多数の航法装置システム（ＴＡＣＡＮ、ＶＯＲ、等）の中で、レーダーシステム等のシステムは、（一般的には周期的に）アンテナ指向性パターンが動く（大抵の場合において、軸を中心に回転して動く）無線信号送信を必要とする。
【０００３】
数十年前までは、そのような運動作用は、送信アンテナを物理的に動かすことによって得られていた。しかし、これによって、そのようなシステムの信頼性および正確さに問題が生じた。
【０００４】
電子技術が発展してからは、そのようなシステムは、互いに適切な関係において時間と共に変化する位相および／または振幅を有する電気信号を供給されたアンテナアレイを通して、アンテナ指向性パターンの動きがシミュレートされるような、より新しいシステムに少しずつ置換された。それ故に、そのようなシステムにおいて、適切な特性を有する電気信号を発生することができる供給装置をアンテナに設けることが必要とされる。これによって、電気信号が生じた際に、例えばドップラーＶＯＲシステム等において、同じ電気信号をあるアンテナから別のアンテナへ切換える必要が生じる。動きを完全にシミュレートするために、そのような切換えが徐々に行われなければならないことはよく知られている。
【０００５】
この明細書において、平易にするために、ドップラーＶＯＲシステムのみに関して説明されるが、既に明らかであるように、同じ問題はその他のシステムにおいても起こり得る。
【０００６】
ＶＯＲ（超高周波無指向性レンジ）システムによって、適切な受信機を設けている航空機は、その地理的な位置がわかっている地上のビーコンに関する方位情報を与えられる。
【０００７】
ＶＯＲは、その品質がＶＯＲが設置されている場所に大きく依存するメートル波帯信号（１０８乃至１１８ＭＨｚ）を放射する。実際に、全方向放射は、物体による不所望な反射のためにひずみを受ける。
【０００８】
この理由のために、通常のＶＯＲは、利点を有しているドップラーＶＯＲに置換される。
【０００９】
ドップラーＶＯＲシステムにおいては、３０Ｈｚの周波数を有する正弦波によって変調されたＶＨＦキャリア振幅に対応する“基準”信号が無指向性パターンに従って送信され、３０Ｈｚの周波数を有する正弦波によって変調された２つの側波帯、すなわちＶＨＦキャリア周波数の＋／−９９６０Ｈｚに対応する“可変”信号は指向性パターンに従って送信され、方位情報を運ぶ。これらの２つの側波帯は、別個の回路を通して互いに独自に放射される。無指向性パターンは、中央のアンテナを通して放射され、その他のパターンは、直径上の反対側のそれぞれがキャリアの＋／−９９６０Ｈｚの２つの側波帯の１つによって供給される２つのアンテナを円形に回転させることによって得られる。これらのアンテナの回転周波数は、３０Ｈｚである。
【００１０】
実際的な理由のために、既に触れたように、２つの側波帯を放射するアンテナの物理的な回転は、あるアンテナから次のアンテナへの放射点の漸進的移動をシミュレートするのと同じ方法で、円形アレイの固定されたアンテナ間でＤ−ＶＯＲ信号を徐々に切換えてシミュレートされる。特に、混合（ブレンド）関数と呼ばれる適切な時間関数に従って変調された無線周波数信号の振幅を切換えることによって、アンテナそれ自体の離散化のために発生された擬似変調を減衰することができる。
【００１１】
現在、ＶＨＦキャリアの振幅変調の２つの側波帯を放射すること（特に、２つの側波帯を交互に放射することおよび２つの側波帯を２つのアンテナまたは直径的に対向している２つのアンテナ群を通じて同時に放射すること）に関して幾つかの解決策があり、本発明は、これらの解決策のそれぞれに適用することができる。
【００１２】
Ｄ−ＶＯＲシステムの動作およびそれらの設計に関する問題（特に、混合関数、分配装置、およびアンテナアレイに関する問題）についての詳細は、参考文献（Ｂ．Ｒ．Ｊｏｈｎｓｏｎ  およびＪ．Ｇ．Ｎ．Ｌｅｅ  による“Ａ  Ｄｏｕｂｌｅ−Ｓｉｄｅｂａｎｄ  Ｄｏｐｐｌｅｒ  ＶＨＦ  Ｏｍｎｉｒａｎｇｅ  Ｂｅａｃｏｎ”−ＡＷＡ  Ｔｅｃｈｎｉｃａｌ  Ｒｅｖｉｅｗ，  Ｖｏｌ．１５，  Ｎｏ．１，  １９７３  およびＦ．Ｌ．  ｖａｎ  ｄｅｒ  Ｂｅｒｇ  による“Ｔｈｅ  Ｐｈｉｌｉｐｓ  Ｄｏｐｐｌｅｒ  ＶＯＲ  Ｂｅａｃｏｎ  ＲＮ２００”−Ｐｈｉｌｉｐｓ  Ｔｅｌｅｃｏｍｍｕｎｉｃａｔｉｏｎ  ｒｅｖｉｅｗ，  Ｖｏｌ．３４，  Ｎｏ．１，  Ａｐｒｉｌ  １９７６  ）に説明されている。
【００１３】
【発明が解決しようとする課題】
ドップラーＶＯＲシステムのための新しい供給装置の設計には、適切な混合関数の選択、適切な混合関数の発生、および分配装置の複雑さ等に関するよく知られている問題が生じることは明らかであり、それらを解決するように努めなければならない。
【００１４】
理想的な混合関数は、ｓｉｎＸ／Ｘである（アレイのアンテナ間に相互作用がないと仮定した場合）。しかし、これを実現することは物理的に不可能であり、その近似値が使用される。関数ｓｉｎＸを使用する上述の文献において、１／２周期までに制限されて使用される。
【００１５】
米国特許第３，８９６，４４４  号明細書から、ドップラーＶＯＲシステムにおける混合関数として、３つの中央のローブに制限され、調整された関数ｃｏｓＸに従って２つの振幅変調信号を結合させて得られた関数ｓｉｎＸ／Ｘの近似値を使用することが知られている。
【００１６】
本発明の目的は、それ程複雑ならびに臨界的ではなく、供給装置に入って来る信号のエネルギを多量に消費しない回路を通して、ｓｉｎＸ／Ｘに類似した混合関数を構成するアンテナアレイを含むシステムに対する供給装置および方法を提供することである。
【００１７】
【課題を解決するための手段】
この目的は、アンテナアレイのアンテナ間でメッセージ信号を徐々に切換えるための混合関数を実現するように設計されたフィルタ手段を使用してアンテナへメッセージ信号を供給する方法において、フィルタ手段は、変調指数が１００％より大きい周期信号で前記メッセージ信号の振幅を変調し、各アンテナに前記変調されたメッセージ信号の対応する時間部分を与えることによって前記混合関数を実現することを特徴とする方法、アレイのアンテナ間でメッセージ信号の切換えを実行するように設計された切換え手段と、切換えを徐々に行なうための混合関数を実現するように設計されたフィルタ手段と、それらの切換え手段およびフィルタ手段を制御するように設計された制御論理ユニットとを具備し、フィルタ手段は、変調指数が１００％より大きい周期信号でメッセージ信号を変調することができる１以上の振幅変調器を具備している供給装置、および変調器の入力に電気的に接続された入力と、入力に対して予め定められた電力比率を有している中央の出力および電力が等しい２つの両側の出力を有している電力分割器と、移相制御信号によって制御され、電力分割器の両側の出力に電気的に接続された入力を有している２以上の移相器と、３つの入力０，−１，＋１を有し、入力−１および＋１は、２つの移相器の出力に接続され、入力０は、電力分割器の中央の出力に接続されているバトラーマトリックスとを具備している変調器と、それらを利用するドップラーＶＯＲシステムとによって達成される。
【００１８】
本発明において、混合関数、すなわち、３つの中央のローブに制限された関数ｓｉｎＸ／Ｘの近似値は、周期関数による単一の信号の振幅の過変調によって得られる。混合は、周期関数の制御を通して制御されることができる。
【００１９】
【実施例】
本発明を詳細に説明する前に、過変調とは何を意味するかを明確にする。一般的に振幅変調器は、２つの入力と１つの出力を有している。一方の入力にはキャリア信号が与えられ、他方の入力には一般的に非常に低い周波数の変調信号が与えられる。出力においては、変調された信号が放射される。いわゆる変調指数は、２つの入力信号の振幅に依存し、特に、正弦波の場合、キャリアの振幅が厳密に変調信号の振幅の２倍であるならば、変調指数は１００％（パーセント）であり、キャリアの振幅が２倍以上ならば、変調指数は１００％より小さく、２倍以下ならば、変調指数は１００％より大きい。後者の場合には過変調と呼ばれ、それにおいては変調された信号の包絡線がゼロを通過するときに、キャリアの正弦波の位相において反転が生じ、それがキャンセルされない。振幅変調のより良い完全処理については、Ｈ．Ｔａｕｂ、  Ｄ．Ｌ．Ｓｃｈｉｌｌｉｎｇ  による文献（“Ｐｒｉｎｃｉｐｌｅｓ  ｏｆ  Ｃｏｍｍｕｎｉｃａｔｉｏｎ  Ｓｙｓｔｅｍｓ  ”，  ＭｃＧｒａｗ−Ｈｉｌｌ，  １９７１  の  ｃｈａｐ．３  “Ａｍｐｌｉｔｕｄｅ  Ｍｏｄｕｌａｔｉｏｎ  Ｓｙｓｔｅｍｓ”）を参照にする。通常、通信装置は、過変調信号を扱うようには構成されておらず、通常の振幅変調器は、変調信号がある制限を超過するときには、信号を出力しない。
【００２０】
本発明の方法は、図３を参照にして説明する。
ドップラーＶＯＲシステムの円形アレイのアンテナにＤ−ＶＯＲ信号、正確にはその側波帯を供給するために、本発明の方法によって、変調指数が１００％（パーセント）より大きい周期信号でＤ−ＶＯＲ信号の振幅を変調し、フィルタ手段の出力における変調されたＤ−ＶＯＲ信号の対応する時間部分を各アンテナに供給することによって混合関数を実現するフィルタ手段を使用して、Ｄ−ＶＯＲ信号をアンテナ間で徐々に切換える。
【００２１】
図３においてＡで示された曲線は、フィルタ手段の出力における変調されたＤ−ＶＯＲ信号の包絡線である。Ｄ１、Ｄ２、Ｄ３で示される３つの連続する時間間隔が考慮されるとき、結果として生じる関数は３つの中央のローブに限定すればｓｉｎＸ／Ｘに非常に近いことが認められる。
【００２２】
図３においてＥ−１、Ｅ−２、Ｅ−３、Ｅ−４で示された曲線は、ドップラーＶＯＲシステムの、物理的に円形アレイに隣接したアンテナＥ−１、Ｅ−２、Ｅ−３、Ｅ−４にそれぞれ供給された信号の包絡線である。
【００２３】
変調されたＤ−ＶＯＲ信号は、各アンテナがそれぞれ異なる時間部分を有する（例えば、アンテナＥ−１は、期間Ｄ１およびＤ２を、Ｅ−４は、期間Ｄ３およびＤ４を有する）ことによって、種々のアンテナへ分配されることができる。
【００２４】
そのような時間部分が（例えば、アンテナＥ−１が期間Ｄ１、Ｄ２、Ｄ３を、アンテナＥ−４が期間Ｄ３、Ｄ４、Ｄ５を有しているように、）部分的に互いにオーバーラップする可能性もあり、従って、近似することによってｓｉｎＸ／Ｘがさらに改善される。
【００２５】
そのような時間部分が全体的にオーバーラップする可能性もある。
【００２６】
図３において、合成を簡単にするために正弦波および２００％の変調指数が周期信号として選択されているが、当業者によって、その時々に最も適切な選択が行なわれる。
【００２７】
部分的なオーバーラップが選択された場合、振幅変調の第１の正の部分（Ｄ２）の期間中には、変調されたＤ−ＶＯＲ信号は第１のアンテナ（Ｅ−１）に供給され、第１の正の部分（Ｄ２）に続く第１の負の部分（Ｄ３）の期間中には、変調されたＤ−ＶＯＲ信号は電力分割され、第１のアンテナ（Ｅ−１）およびそれに論理的に隣接している第２のアンテナ（Ｅ−４）へ同時に供給され、後続する正および負の交互の期間中には、変調されたＤ−ＶＯＲ信号は、アレイの全てのアンテナに供給されるまで、論理的に隣接するアンテナへ徐々に供給される。
【００２８】
論理的隣接の概念は、以下例によって説明される。
【００２９】
例えば、アンテナＥ−１から別のアンテナＥ−４への動きのように、アンテナの位置からの放射点の漸進的な移動をよりよくシミュレートするために、（例えば、アンテナＥ−２およびＥ−３等の）アンテナをさらにアンテナＥ−１とアンテナＥ−４との間に位置させることができる。
【００３０】
これらのアンテナに供給される変調された信号は、図３に示されており、それぞれ位相が１２０°および２４０°変化したアンテナＥ−１のための信号に対応する。
【００３１】
明らかに、これらのさらに変調された信号は、簡単な切換えで信号Ａから得ることはできず、例えば、別個に発生させる等の必要がある。
【００３２】
上述の説明によれば、アンテナＥ−４は、信号Ａの切換えに関する限り、論理的にはアンテナＥ−１に隣接しており、物理的にはアンテナＥ−３に隣接している。
【００３３】
方法に関して説明してたきたが、以下には、そのような方法を実行する装置について説明する。
図１は、２つの側波帯が同時に放射するドップラーＶＯＲシステムに適した、本発明による供給装置を示している。
供給装置は、“基準”情報を含み、ドップラーＶＯＲシステムの中央のアンテナに直接供給されるキャリア信号ＣＳと、共に方位情報を与え、それ故にメッセージ信号と見なされる２つの側波帯ＳＢ１およびＳＢ２とで構成された、ＶＳとして示されるＤ−ＶＯＲ信号をその入力において受信し、その出力において、ドップラーＶＯＲシステムの円形アレイのＮ個のアンテナＥ−１…Ｅ−ＮにＮ個の無線周波数信号を供給する。
【００３４】
２つの側波帯ＳＢ１およびＳＢ２は、２つの側波帯を混合関数で時間フィルタ処理する機能を有し、２つの変調されたメッセージ信号ＡおよびＢをそれぞれの出力において発生する２個の同一の振幅変調器ＭＯＤ−ＡおよびＭＯＤ−Ｂによって構成されているフィルタ手段の入力へそれぞれ供給される。ドップラーＶＯＲシステムが本質的に２つの側波帯を交互に放射する場合、または１つの側波帯のみを放射するタイプのものである場合、装置および信号を重複させる必要はない。
【００３５】
変調されたメッセージ信号ＡおよびＢは、アンテナＥ−１…Ｅ−Ｎ間でそれらを切換える切換え手段ＳＷの入力に供給され、２つの変調器のフィルタ処理によって徐々に切換えられる。
他方、制御論理ユニット（図示されていない）は、切換え手段ＳＷおよび変調器ＭＯＤ−Ａ、ＭＯＤ−Ｂを制御するのに必要である。
【００３６】
本発明の方法を実施するために、振幅変調器ＭＯＤ−ＡおよびＭＯＤ−Ｂは、変調指数が１００％より大きい周期信号で２つの側波帯ＳＢ１およびＳＢ２を変調することができなくてはならず、そのような周期信号は、典型的にデジタルパターンのシーケンスの形式の変調制御信号ＣＮＴとして２つの変調器へ供給される。
【００３７】
変調されたメッセージ信号が１つの場合、切換え手段ＳＷは、その信号を制御論理ユニットによって決定された時間部分に細分し、例えば、第１の時間部分をアンテナＥ−１に、第２の時間部分をアンテナＥ−２に供給するというように、各時間部分を連続してアンテナに供給する。信号が２つの場合、反対に、切換え手段ＳＷは、その信号を制御論理ユニットによって決定された時間部分に細分し、（ドップラーＶＯＲシステムが、円形アレイにおいて対向して位置している２つのアンテナを有している場合、）例えば、第１の信号の第１の時間部分をアンテナＥ−１に、そしてそれと同時に第２の信号の第１の時間部分をアンテナＥ−２５に供給し、第１の信号の第２の時間部分をアンテナＥ−２へ、そしてそれと同時に第２の信号の第２の時間部分をアンテナＥ−２６へ供給するというように、時間部分を連続して２つの異なったアンテナに供給する。
【００３８】
変調されたメッセージ信号が１つである場合と、２つである場合の両方において、切換え手段ＳＷによって、少なくとも２つの異なった（論理的に隣接している）アンテナへ、予め定められた電力比率に従って同時に特定の時間部分が供給されることはさらに有効である。
【００３９】
さらに、上述のようなことが交互に行われるように切換え手段ＳＷを配置することができる。
そのように同時に２つの異なったアンテナへ供給することは、例えば、図２に表されている装置を通して行われ、スイッチ／ディバイダと呼ばれる。
【００４０】
図２に示されたスイッチ／ディバイダは、１つの入力Ｉ１、２つの出力Ｏ１、Ｏ２、および３つの動作位置Ｋ１、Ｋ２、Ｋ３を有し、第１の位置Ｋ１は、入力Ｉ１と出力Ｏ１の直接接続に対応し、第２の位置Ｋ３は、入力Ｉ１と出力Ｏ２の直接接続に対応し、第３の位置Ｋ２は、入力Ｉ１と２つの出力Ｏ１およびＯ２との同時の接続に対応しており、２つの素子Ｃ１およびＣ２を通して２つの出力へ電力を分割する。そのような構造は、マイクロストリップ構成および制御されたＰＩＮダイオードを通して、適切な送信ラインで有利に実現される。
【００４１】
本質的に、図２に示されているスイッチ／ディバイダは、設計上の要求に従って変更することができ、それによって、出力の数または異なった電力分割率によって特徴づけられた中間位置の数を増加させることができる。例えば、第１の中間位置において、出力Ｏ１で電力の１／４を、出力Ｏ２で電力の３／４を供給することができ、第２の中間位置において、出力Ｏ１で電力の１／２を、出力Ｏ２で電力の１／２を供給することができ、第３の最後の中間位置において、出力Ｏ１で電力の３／４を、出力Ｏ２で電力の１／４を供給することができる。
【００４２】
切換え手段ＳＷを実現する方法の詳細を説明する前に、本発明による変調器の構造および本発明による供給装置における特に有利な使用方法が図４に関して説明される。
図４において、振幅変調器ＭＯＤ−Ａが示され、それはＭＯＤ−Ｂと同一である。
【００４３】
変調器ＭＯＤ−Ａは、その入力において第１の側波帯ＳＢ１を受信し、同一であるが、位相が互いに１２０°異なり、図１の変調されたメッセージ信号Ａに対応する３つの変調されたメッセージ信号Ａ１、Ａ２、Ａ３を出力する。本質的に、変調器ＭＯＤ−Ｂは、その入力において第２の側波帯ＳＢ２を受信し、図１の変調されたメッセージ信号Ｂに対応する３つの変調されたメッセージ信号Ｂ１、Ｂ２、Ｂ３を出力する。
【００４４】
消費された電力と回路の平易さとの間における妥協案として、３つの同一のメッセージ信号の生成を選択することは特に有利であるが、出力の数が異なることが可能であること（境界部分の場合においては１つでもよい）は当業者には明らかである。
【００４５】
振幅変調器ＭＯＤ−Ａは、
入力において第１の側波帯ＳＢ１を受信し、入力に対して予め定められた電力比率を有する中央の出力および電力が等しい２つの両側の出力を有している電力分割器ＰＤと、
図１の単一の変調制御信号ＣＮＴに対応する移相制御信号ＣＮＴ１およびＣＮＴ２によって制御され、電力分割器ＰＤの２つの両側の出力に電気的に接続された入力を有している、少なくとも２つの移相器ＰＳ１およびＰＳ２と、
減衰制御信号ＣＮＴＡによって制御され、その入力において電力分割器ＰＤの中央の出力を受信する可変減衰器ＶＡと、
３つの入力（−１，０，＋１）を有し、入力−１および＋１は２つの移相器ＰＳ１およびＰＳ２の出力にそれぞれ接続され、入力０は可変減衰器ＶＡの出力に接続されているバトラーマトリックスＢＭとを具備している。
【００４６】
そのような変調器は、回転ベクトルを通して表された既知の振幅変調に基づいており、入力０は、キャリアのベクトルに対応し、入力−１および入力＋１は、反対の方向に回転して、最初のものと同じものになるように加算することによって変調を決定する変調信号の２つのベクトルに対応する。ベクトルの回転は、移相器ＰＳ１およびＰＳ２を通して、対応する信号の位相を変えることによって得られ、加算は、バトラーマトリックスＢＭを通して得られる。
【００４７】
バトラーマトリックスＢＭの出力における変調指数は、ベクトルの相互の寸法に依存し、それ故に、電力分割器ＰＤの分割比率による（非常に簡単に変化させることができる）。好ましい実施例において、電力分割器は、電力を３つの等しい部分に分割し、結果として変調指数は、２００％に等しくなる。
可変減衰器ＶＡは、情報を監視した結果、ドップラーＶＯＲシステムの設置中もしくは動作の期間中に、変調指数を適切に適合するために使用される  。
【００４８】
さらに、減衰の変化が速い場合には、それは混合関数の形に影響を与えるので、わずかに異なる混合関数が異なるアンテナに使用される場合および／または完全に対称的ではない混合関数が必要とされる場合、この可能性は有益である。
【００４９】
可変減衰器ＶＡの存在は、必ずしも必要という訳ではないが、利点が認められる。
【００５０】
位相の異なる３つの同一の信号Ａ１、Ａ２、Ａ３の発生およびバトラーマトリックスの使用のために、変調器において消費された電力は厳密に制限されており、信号の総電力は、反射されたり内部負荷に送られたりすることなく、３つの出力Ａ１、Ａ２、Ａ３の間で無駄なく分けられる。
【００５１】
バトラーマトリックスの指数およびその結果としての出力の数は、周波数変調のスペクトル特性の保存レベルと、アンテナの離散化による擬似振幅変調の消去レベルとに従って選択される。そのような指数は、周波数変調指数によって除算されたアンテナの数に等しく選択されることが有効である。
【００５２】
さらに、そのような変調器は、適用される混合指数に関する限り、非常に万能的である。実際に、制御された移相器ＰＳ１およびＰＳ２は、しばしばマイクロストリップ構造および数値信号によって制御されたＰＩＮダイオードによって実現されるので、その形は移相器に供給されたシーケンスの数に依存し、素子はリアルタイムにおいても容易に変化される。
【００５３】
上述の説明から明らかなように、供給装置のパラメータは容易に変化させることができ、その決定は、分析または試験のいずれかで、またはその両方で行われることができる。
【００５４】
図４および５に関して、切換え手段ＳＷの構造は、上述され、図４に示された形式の２つの変調器が使用されるという仮定の下で説明される。
【００５５】
切換え手段ＳＷは、３つの階層レベルで構成される。第１のレベルは、論理的に隣接するアンテナ間で、変調されたメッセージ信号Ａ１、Ａ２、Ａ３、Ｂ１、Ｂ２、Ｂ３の切換えを実行するように設計されたスイッチ／ディバイダＣＤ（図４参照）によって形成され、第２のレベルは、変調されたメッセージ信号を同じアンテナに交互に供給するように設計された反転スイッチＤＰＤＴ（図５参照）によって形成され、第３のレベルは、変調された各メッセージ信号の切換えをアレイの全てのアンテナ間で実行する多重スイッチＳＰＦＴ（図５）によって形成されている。３種類の切換え装置の全て（スイッチ／ディバイダＣＤ、反転スイッチＤＰＤＴ、および多重スイッチＳＰＦＴ）は、動作するために制御論理信号を必要とする。
【００５６】
２つのバトラーマトリックスＢＭの出力における６つの信号Ａ１、Ａ２、Ａ３、Ｂ１、Ｂ２、Ｂ３は、それぞれ２つの信号Ａ１１、Ａ１２、Ａ２１、Ａ２２、Ａ３１、Ａ３２、Ｂ１１、Ｂ１２、Ｂ２１、Ｂ２２、Ｂ３１、Ｂ３２を発生する６つのスイッチ／ディバイダＣＤの入力へそれぞれ供給される。
【００５７】
そのような後者の信号は、６つの反転スイッチＤＰＤＴ（二極双投型）の入力Ｐ１およびＰ２へそれぞれ（Ａ１１とＢ１１、Ａ１２とＢ１２のように）対で供給される。反転スイッチＤＰＤＴは、２つの出力Ｔ１およびＴ２と、２つの動作状態とを有している。それは、入力Ｐ１が出力Ｔ１に接続され、同時に入力Ｐ２が出力Ｔ２に接続された状態、または、入力Ｐ１が出力Ｔ２に接続され、同時に入力Ｐ２が出力Ｔ１に接続された状態である。
【００５８】
反転スイッチＤＰＤＴの各出力は、異なった多重スイッチＳＰＦＴ（単極四投型）に供給され、従って、多重スイッチは１２個である。多重スイッチＳＰＦＴは、１つの入力および４つの出力と、入力と出力との可能な接続に対応した明らかな４つの動作状態とを有している。
【００５９】
最後に、多重スイッチの出力はアンテナ（この例においては４８個）に供給される。（物理的に隣接した）アンテナＥ−１、Ｅ−２、Ｅ−３、Ｅ−４に供給された信号の包絡線の形状の例は、図３に示されている。
【００６０】
適切な制御論理信号をこれらの装置の全てに供給することによって、所望された回転効果を得ることができる。
本発明は、添付された図面に関して説明され、ドップラーＶＯＲシステムに適しているが、その実施例に制限されるものではない。
【図面の簡単な説明】
【図１】本発明による供給装置のブロック図。
【図２】図１の装置の切換え手段において使用されるスイッチ／ディバイダ。
【図３】図１の装置の切換え手段から出されるおよび切換え手段へ入る信号のタイミング図。
【図４】図１の装置において使用される、本発明による変調器のブロック図。
【図５】図１の装置の切換え手段の詳細なブロック図。
【図１】
0003553683.tif 000002
【図２】
0003553683.tif 000003
【図３】
0003553683.tif 000004
【図４】
0003553683.tif 000005
【図５】
0003553683.tif 000006